【手続補正書】
【提出日】平成19年3月15日(2007.3.15)
【手続補正１】
【補正対象書類名】明細書
【補正対象項目名】発明の名称
【補正方法】変更
【補正の内容】
【発明の名称】情報処理装置および方法、並びに記録媒体
【手続補正２】
【補正対象書類名】明細書
【補正対象項目名】特許請求の範囲
【補正方法】変更
【補正の内容】
【特許請求の範囲】
【請求項１】
着脱可能な所定の記録媒体に記録されているデータを読み出す情報処理装置において、
装着されている前記記録媒体の取り出しを検知する取り出し検知手段と、
前記取り出し検知手段が検知した前記記録媒体の取り出しに対応して、前記記録媒体に記録されている前記データを処理するために起動されているアプリケーションプログラムを終了させる終了手段と
を含むことを特徴とする情報処理装置。
【請求項２】
前記記録媒体の装着を検知する装着検知手段と、
前記装着検知手段が検知した前記記録媒体の装着に対応して、前記記録媒体に記録されている前記データを処理するための前記アプリケーションプログラムを起動させる起動手段と
をさらに含むことを特徴とする請求項１に記載の情報処理装置。
【請求項３】
前記記録媒体に対するアクセスを検出する検出手段と、
前記検出手段の検出結果に対応して、前記記録媒体の取り出しを制限する制限手段と
をさらに含むことを特徴とする請求項１に記載の情報処理装置。
【請求項４】
前記記録媒体は、半導体メモリである
ことを特徴とする請求項１に記載の情報処理装置。
【請求項５】
着脱可能な所定の記録媒体に記録されているデータを読み出す情報処理装置の情報処理方法において、
装着されている前記記録媒体の取り出しを検知する取り出し検知ステップと、
前記取り出し検知ステップの処理で検知された前記記録媒体の取り出しに対応して、前記記録媒体に記録されている前記データを処理するために起動されているアプリケーションプログラムを終了させる終了ステップと
を含むことを特徴とする情報処理方法。
【請求項６】
着脱可能な所定の記録媒体に記録されているデータを読み出すコンピュータの制御用のプログラムであって、
装着されている前記記録媒体の取り出しを検知する取り出し検知ステップと、
前記取り出し検知ステップの処理で検知された前記記録媒体の取り出しに対応して、前記記録媒体に記録されている前記データを処理するために起動されているアプリケーションプログラムを終了させる終了ステップと
を含む処理をコンピュータに実行させるプログラムが記録されていることを特徴とする記録媒体。
【請求項７】
ネットワークを介してデータを通信する情報処理装置において、
前記ネットワークを介してデータを通信する通信手段と、
前記ネットワークに対する接続の切断を検知する検知手段と、
前記検知手段が検知した前記切断に対応して、前記通信手段が前記ネットワークを介して受信した前記データを処理するために起動されているアプリケーションプログラムを終了させる終了手段と
を含むことを特徴とする情報処理装置。
【請求項８】
前記ネットワークは、インターネットであり、
前記アプリケーションプログラムは、ブラウザである
ことを特徴とする請求項７に記載の情報処理装置。
【請求項９】
ネットワークを介してデータを通信する情報処理装置の情報処理方法において、
前記ネットワークを介してデータを通信する通信ステップと、
前記ネットワークに対する接続の切断を検知する検知ステップと、
前記検知ステップの処理で検知された前記切断に対応して、前記通信ステップの処理で前記ネットワークを介して受信された前記データを処理するために起動されているアプリケーションプログラムを終了させる終了ステップと
を含むことを特徴とする情報処理方法。
【請求項１０】
ネットワークを介してデータを通信するコンピュータの制御用のプログラムであって、
前記ネットワークを介してデータを通信する通信ステップと、
前記ネットワークに対する接続の切断を検知する検知ステップと、
前記検知ステップの処理で検知された前記切断に対応して、前記通信ステップの処理で前記ネットワークを介して受信された前記データを処理するために起動されているアプリケーションプログラムを終了させる終了ステップと
を含む処理をコンピュータに実行させるプログラムが記録されていることを特徴とする記録媒体。
【手続補正３】
【補正対象書類名】明細書
【補正対象項目名】０００１
【補正方法】変更
【補正の内容】
【０００１】
【発明の属する技術分野】
本発明は、情報処理装置および方法、並びに記録媒体に関し、例えば、所定のアプリケーションプログラムの起動または終了のタイミングを制御する場合に用いて好適な情報処理装置および方法、並びに記録媒体に関する。
【手続補正４】
【補正対象書類名】明細書
【補正対象項目名】００１１
【補正方法】変更
【補正の内容】
【００１１】
本発明の第１の記録媒体のプログラムは、装着されている記録媒体の取り出しを検知する取り出し検知ステップと、取り出し検知ステップの処理で検知された記録媒体の取り出しに対応して、記録媒体に記録されているデータを処理するために起動されているアプリケーションプログラムを終了させる終了ステップとを含むことを特徴とする。
【手続補正５】
【補正対象書類名】明細書
【補正対象項目名】００１４
【補正方法】変更
【補正の内容】
【００１４】
本発明の第２の記録媒体のプログラムは、ネットワークを介してデータを通信する通信ステップと、ネットワークに対する接続の切断を検知する検知ステップと、検知ステップの処理で検知された切断に対応して、通信ステップの処理でネットワークを介して受信されたデータを処理するために起動されているアプリケーションプログラムを終了させる終了ステップとを含むことを特徴とする。
【手続補正６】
【補正対象書類名】明細書
【補正対象項目名】００１５
【補正方法】変更
【補正の内容】
【００１５】
本発明の第１の情報処理装置および方法、並びに記録媒体のプログラムにおいては、装着されている記録媒体の取り出しが検知され、検知された記録媒体の取り出しに対応して、記録媒体に記録されているデータを処理するために起動されているアプリケーションプログラムが終了される。
【手続補正７】
【補正対象書類名】明細書
【補正対象項目名】００１６
【補正方法】変更
【補正の内容】
【００１６】
本発明の第２の情報処理装置および方法、並びに記録媒体のプログラムにおいては、ネットワークを介してデータが通信され、ネットワークに対する接続の切断が検知され、検知された切断に対応して、ネットワークを介して受信されたデータを処理するために起動されているアプリケーションプログラムが終了される。
【手続補正８】
【補正対象書類名】明細書
【補正対象項目名】００９９
【補正方法】変更
【補正の内容】
【００９９】
【発明の効果】
以上のように、本発明の第１の情報処理装置および方法、並びにプログラム格
納媒体のプログラムによれば、検知した記録媒体の取り出しに対応して、記録媒
体に記録されているデータを処理するために起動されているアプリケーションプ
ログラムを終了するようにしたので、ユーザにとっての利便性を向上させること
が可能となる。
【手続補正９】
【補正対象書類名】明細書
【補正対象項目名】０１００
【補正方法】変更
【補正の内容】
【０１００】
また、本発明の第２の情報処理装置および方法、並びにプログラム格納媒体の
プログラムによれば、検知したネットワークとの切断に対応して、ネットワーク
を介して受信したデータを処理するために起動されているアプリケーションプロ
グラムを終了するようにしたので、ユーザにとっての利便性を向上させることが
可能となる。